(57)【要約】【課題】木質繊維板等、木質系基材を床材の基材として利用するとともに、熱可塑性樹脂基材と複合させて、熱や水分による伸縮を防ぎ、強度や耐たわみ性も十分あり、しかも意匠性に優れた複合床材を提供する。【解決手段】最下層を第１層とし、その上に第２層、第３層を積層してなる複合床材であって、上記第１層を木質系基材１とし、第２層に熱可塑性樹脂系基材２をセンターコアとして内設し、さらに第３層として木質系基材３を積層してなる複合床材Ａ。上記熱可塑性樹脂系基材２としてポリオレフィン系樹脂そのものやＷＰＢ（ウッドプラスチックボード）が用いられる。上記木質系基材１、３としてパーティクルボードやＭＤＦ（中密度繊維板）が用いられる。【選択図】図１
2009046909.tif 000002
【特許請求の範囲】
【請求項１】
最下層を第１層とし、その上に第２層、第３層を積層してなる複合床材であって、上記第１層を木質系基材とし、第２層に熱可塑性樹脂系基材をセンターコアとして内設し、さらに第３層として木質系基材を積層してなる複合床材。
【請求項２】
上記熱可塑性樹脂系基材としてポリオレフィン系樹脂そのものを用いる請求項１に記載の複合床材。
【請求項３】
上記熱可塑性樹脂系基材としてＷＰＢ（ウッドプラスチックボード）を用いる請求項１に記載の複合床材。
【請求項４】
上記第３層の上に第４層として熱可塑性樹脂系基材を積層し、さらに第５層として木質系基材を積層してなる請求項１に記載の複合床材。
【請求項５】
上記木質系基材としてパーティクルボードを用いる請求項１に記載の複合床材。
【請求項６】
上記木質系基材としてＭＤＦ（中密度繊維板）を用いる請求項１に記載の複合床材。
【発明の詳細な説明】
【技術分野】
【０００１】
本発明は、複合床材に関する。さらに詳しくは、熱可塑性樹脂系基材と木質系基材とからなる複合床材に関する。
【背景技術】
【０００２】
従来、床材として木質系基材を用いることは公知であり、特に合板を基材とし、表面に突き板が積層された木質床材は、いわゆるフローリング材として一般的に使用されている。上記フローリング材は、生活様式の洋風化に伴ってリビングルーム等に広く使用されるようになってきているが、同時に耐久性の向上も求められている。
【０００３】
そこで、上記耐久性の向上のため、木質系基材に熱可塑性樹脂系基材を積層することが提案され、下記特許文献１には合板基材層、紙層、熱可塑性樹脂層、紙層、及び木質突き板層の順に積層されてなる木質床材であって、熱可塑性樹脂層として曲げ弾性率が１００００〜４００００ｋｇｆ／ｃｍ2の熱可塑性樹脂層を用い、かつ紙層として坪量が１３〜１００ｇ／ｍ2の紙を用いることを特徴とする木質床材が開示されている。
【０００４】
そして、合板基材層、紙層、熱可塑性樹脂層、紙層、及び木質突き板層の順に積層された構造を持ち、かつ熱可塑性樹脂として特定の範囲の曲げ弾性率を有し、紙層として特定の範囲の坪量の紙を用いた木質床材は、キャスター等による重荷重の押し込みを傷受けにくいので、耐久性木質床材として優れた性質を有するとの効果が記載されている。
【特許文献１】特開平１０−２１９９８５号公報（第８〜１０頁、第１表）
【発明の開示】
【発明が解決しようとする課題】
【０００５】
上記特許文献１に記載の木質床材は、生活様式の洋風化に伴って床上に置かれるキャスター付きの家具、椅子等により床材が傷付いたり、凹んだり、割れたりすることのないように耐久性が向上されたものであるが、加熱、冷却が繰り返される場所、例えば床暖房装置の仕上げ材等としては、床材間に隙間が発生する等の問題があり、必ずしも好適に用いられるものとはいえない。
【０００６】
一方、木材資源の枯渇化、世界的な資源保護運動の高まりからムクの木材の入手が困難となり、ムクの木材をカツラ剥ぎした材料から製造される合板基材の価格も高騰しているため、製材所から出る廃材やおが屑、建築工程で出る木材の端材を粉砕して木質繊維を得て、接着剤の存在下に圧熱し、木質繊維板に加工したうえ、建築用の基材として利用することも行われつつある。
【０００７】
本発明は、このような状況のもとで考え出されたものであり、木質繊維板を床材の基材として利用するとともに、熱可塑性樹脂基材と複合させて、熱や水分による伸縮を防ぎ、強度や耐たわみ性も十分あり、しかも意匠性に優れた複合床材を提供することを、その課題とする。
【課題を解決するための手段】
【０００８】
上記課題を解決するために、本発明においては、つぎのような技術的手段を講じている。すなわち、本願請求項１に記載の複合床材は、最下層を第１層とし、その上に第２層、第３層を積層してなる複合床材であって、上記第１層を木質系基材とし、第２層に熱可塑性樹脂系基材をセンターコアとして内設し、さらに第３層として木質系基材を積層してなることを特徴とするものである。
【０００９】
上記熱可塑性樹脂系基材としては、ポリエチレンテレフタレート、ポリブチレンテレフタレート等のポリエステル系樹脂、アクリロニトリル−ブタジエン−スチレン共重合樹脂（ＡＢＳ樹脂）、ポリメチルメタクリレート等のアクリル系樹脂、ポリスチレン、ポリ塩化ビニル樹脂等のα−オレフィン系樹脂、ポリエチレン、ポリプロピレン等のポリオレフィン系樹脂からなるシート状に成形されたものをあげることができる。
【００１０】
本願請求項２に記載の発明は、上記請求項１記載の複合床材において、上記熱可塑性樹脂系基材としてポリオレフィン系樹脂そのものを用いることを特徴としている。ポリオレフィン系樹脂としては、容易に、安価に入手できる汎用樹脂としてのポリエチレン、ポリプロピレンが好ましく用いられる。通常、上記ポリエチレン、ポリプロピレンは、センターコアとして十分な剛性を発揮できる程度の厚さに成形したシートとして用いられる。
【００１１】
本願請求項３に記載の発明は、上記請求項１記載の複合床材において、上記熱可塑性樹脂系基材としてＷＰＢ（ウッドプラスチックボード）を用いることを特徴としている。ＷＰＢは、前記したように、おが屑や製材時の木質廃材、建築時に出る端材等を粉砕して木粉とし、無機フィラー、強化剤等の存在下にポリプロピレン樹脂等の熱可塑性樹脂成分の混合率を大きくして混練した後、押出成形機により成形したものであり、センターコアとして十分な剛性を発揮できる程度の厚さに成形したシートとして用いられる。
【００１２】
本願請求項４に記載の発明は、上記請求項１記載の複合床材において、上記第３層の上に第４層として熱可塑性樹脂系基材を積層し、さらに第５層として木質系基材を積層してなることを特徴としている。
【００１３】
本願請求項５に記載の発明は、上記請求項１記載の複合床材において、上記木質系基材として、パーティクルボードを用いることを特徴としている。
【００１４】
本願請求項６に記載の発明は、上記請求項１記載の複合床材において、上記木質系基材として、ＭＤＦ（中密度繊維板）を用いることを特徴としている。
【発明の効果】
【００１５】
請求項１に記載の発明にかかる複合床材においては、上記のとおりであり、特に、最下層を第１層とし、その上に熱可塑性樹脂系基材の第２層をセンターコアとして内設し、第３層を積層してなる複合床材であって、上記第１層、第３層を木質系基材とすることによって、水分の影響による木質系基材の伸縮は、センターコアである熱可塑性樹脂系基材によって抑制され、熱による影響を受け易いセンターコアの表裏両面には木質系基材が積層されているため、この木質系基材が熱可塑性樹脂系基材の熱伸縮性を抑制する。このように、木質系基材と熱可塑性樹脂系基材とを複合させることによって、水分や熱による影響を受けにくい寸法安定性に優れた複合床材を得ることができる。
【００１６】
請求項２に記載の複合床材においては、特に、上記熱可塑性樹脂系基材としてポリオレフィン系樹脂そのものを用いる。ポリオレフィン系樹脂としては、ポリエチレン、ポリプロピレンをシートとして用いるため、強度や耐たわみ性にすぐれ、また、耐久性のあるセンターコアとすることができる。
【００１７】
請求項３に記載の複合床材においては、特に、上記熱可塑性樹脂系基材としてＷＰＢ（ウッドプラスチックボード）を用いる。ＷＰＢは通常、ポリプロピレンリッチの状態で板状に成形されているため、強度や耐たわみ性にすぐれ、また、耐久性のあるセンターコアとすることができる。
【００１８】
請求項４に記載の複合床材においては、特に、上記第３層の上に第４層として熱可塑性樹脂系基材を積層し、さらに第５層として木質系基材を積層しているため、多層構造とすることにより、強度や耐たわみ性がより優れたものとなり、また、水分や熱による影響の少ないより寸法安定性に優れた複合床材を提供することができる。
【００１９】
請求項５に記載の複合床材においては、特に、上記木質系基材としてパーティクルボードを用いるため、断熱性、遮音性に優れた複合床材とすることができる。また、表面に突き板等木質化粧材が親和性よく接着され、デザイン性に優れた床材することができる。
【００２０】
請求項６に記載の複合床材においては、特に、上記木質系基材としてＭＤＦ（中密度繊維板）を用いるため、断熱性、遮音性に優れるとともに、表面平滑性に優れた複合床材とすることができる。また、表面に突き板等木質化粧材が親和性よく接着され、デザイン性に優れた床材とすることができる。
【発明を実施するための最良の形態】
【００２１】
以下、本発明の実施形態について図面を参照して詳細に説明する。図１は、本発明の第１実施形態にかかる複合床材Ａを示す断面図である。図１において、第１層の木質系基材１および第３層の木質系基材３としてはパーティクルボードが用いられ、第２層のセンターコアとして用いられる熱可塑性樹脂系基材２としては、ポリエチレンが用いられている。ポリエチレンはたわみ強度を確保できる程度の厚さのシート状に成形して用いられる。上記のようにして構成された第１層、第２層、第３層は水性ビニルウレタン系接着剤によってこの順に、必要があれば加圧、加熱下に接着され、積層して、例えば、厚み約１２ｍｍに加工し、床暖房の仕上げ材等として使用される。
【００２２】
上記のようにして形成された本発明の複合床材Ａは、熱可塑性樹脂系基材２をセンターコアとし、その上面と下面とに木質系基材１、３が複合されているため、吸湿、乾燥等水分の影響による木質系基材１、３の伸縮は、センターコアである熱可塑性樹脂系基材２によって抑制される。一方、熱による影響を受け易いセンターコアである熱可塑性樹脂系基材２は、その表裏両面に設けられた木質系基材１、３が熱による寸法安定性に優れていることによって、その伸縮が抑制される。このように、木質系基材１、３と熱可塑性樹脂系基材２とを複合させることによって、水分や熱による影響を受けにくい複合床材Ａを得ることができる。また、第１層、第３層としてパーティクルボードを用いることにより、複合床材Ａを床暖房装置の表面材として用いることが可能となり、リビングルームのフローリングと床暖房とを同時に行うことができる。また、ホットカーペットを敷いた際等、優れた保温効果を発揮する。
【００２３】
図２は、センターコアとして用いられる熱可塑性樹脂系基材２への第１層の木質系基材１の接着面に凹凸部１１および第３層の木質系基材３のセンターコアへの接着面に凹凸部３１を設け、接着剤の存在下に接着して第１層、第２層、第３層を積層した第１実施形態の複合床材Ａの改良例を示す断面図である。上記凹凸部１１、３１を設けることにより、接着面積が増して接着強度が大となり、更にアンカー効果を発揮して、より強度や耐たわみ性に優れた複合床材を製造することができる。
【００２４】
図３は、上記第１実施形態Ａの他の例を示す断面図である。図３において、第１層の木質系基材１ａおよび第３層の木質系基材３ａとしてはＭＤＦ（中密度繊維板）が用いられ、第２層のセンターコアとして用いられる熱可塑性樹脂系基材２ａとしては、ＷＰＢ（ウッドプラスチックボード）が用いられている。このように木質系基材１ａ、３ａと熱可塑性樹脂系基材２ａとを複合させることによって、上記と同様に、水分や熱による影響を受けにくい複合床材Ａを得ることができる。
【００２５】
図４は、本発明の第２実施形態にかかる複合床材Ｂを示す断面図である。図４に示されるように、第２実施形態にかかる複合床材Ｂは、図１に示す第１実施形態の複合床材Ａの第３層である木質系基材３の上に第４層として熱可塑性樹脂系基材４を積層し、さらに、この第４層の熱可塑性樹脂系基材４をセンターコアとして第５層として木質系基材５が積層されている。
【００２６】
このように多層とすることにより、強度や耐たわみ性がより優れたものとなり、また、水分や熱による影響の少ないより寸法安定性に優れた複合床材を提供することができる。
【００２７】
図５は、上記第１実施形態にかかる複合床材Ａに突き板等の化粧材層６を貼着した本発明にかかる化粧された複合床材Ｃを示す斜視図である。図５に示されているように、木目模様を有する天然木調の複合床材Ｃが得られ、例えば、床暖房装置の表面材として用いることにより、リビングルームのフローリングと床暖房とを同時に行うことができる。
【００２８】
なお、第１実施形態において、図１では、第１層、第３層に用いる木質系基材１、３としてパーティクルボードを使用し、図３では第１層、第３層に用いる木質系基材１ａ、３ａとしてＭＤＦ（中密度繊維板）を使用しているが、必ずしも同種のものを使用する必要はない。例えば、第１層としてパーティクルボードを使用し、第３層としてＭＤＦ（中密度繊維板）を用いてもよい。同様に第２層として用いる熱可塑性樹脂系基材２、２ａとして状況に応じてポリエチレンとＷＰＢ（ウッドプラスチックボード）とを使い分けることが可能である。第２実施形態においても同様に使い分けることが可能であり、このように、いずれの場合も、特許請求の範囲を逸脱しない限り、本発明の技術的範囲に属する。
【図面の簡単な説明】
【００２９】
【図１】本発明の第１実施形態にかかる複合床材を示す断面図である。
【図２】本発明の第１実施形態にかかる複合床材の改良例を示す断面図である。
【図３】本発明の第１実施形態にかかる複合床材の他の例を示す断面図である。
【図４】本発明の第２実施形態にかかる複合床材を示す断面図である。
【図５】本発明の第１実施形態にかかる複合床材に化粧材層を貼着した化粧された複合床材を示す斜視図である。
【符号の説明】
【００３０】
Ａ          第１実施形態にかかる複合床材
Ｂ          第２実施形態にかかる複合床材
Ｃ          第１実施形態にかかる化粧された複合床材
１          木質系基材
１１        凹凸部
１ａ        他の木質系基材
２          熱可塑性樹脂系基材
２１        凹凸部
２ａ        他の熱可塑性樹脂系基材
３          木質系基材
３１        凹凸部
３ａ        他の木質系基材
４          第２実施形態における熱可塑性樹脂系基材
５          第２実施形態における木質系基材
６          化粧材層
【図１】
2009046909.tif 000003
【図２】
2009046909.tif 000004
【図３】
2009046909.tif 000005
【図４】
2009046909.tif 000006
【図５】
2009046909.tif 000007